(57)【要約】【課題】流入する心筋保護液に対する撹拌作用を効果的に発生させて、心筋保護液の温度を均一に維持する。【解決手段】心筋保護液の貯留空間を形成する槽ハウジング２１と、槽ハウジング上部に設けられた流入ポート２４と、槽ハウジング下部に設けられた流出ポート２５とを備え、槽ハウジング内部に、上方に凹となった湾曲面を形成する撹拌シート２６が設置される。撹拌シートは湾曲方向における中間部で最低位部２７を形成し、最低位部は槽ハウジングの垂直方向における中位領域に位置し、最低位部の両側の高位端部の一方が導入端部２８を、他方が終端部２９を構成する。流入ポートと連通する導入管３０が、流入ポートから流入した液体を撹拌シートの導入端部に導くように配置される。撹拌シートの湾曲方向に沿った両側縁の少なくとも一部は、槽ハウジングの内壁面との間に間隙を形成している。【選択図】図１Ｂ
2015100609.tif 000002
【特許請求の範囲】
【請求項１】
心筋保護液を貯留する空間を形成する槽ハウジングと、
前記槽ハウジングの上部に設けられた流入ポートと、
前記槽ハウジングの下部に設けられた流出ポートとを備えた心筋保護液リザーバにおいて、
前記槽ハウジングの内部に、上方に凹となった湾曲面を形成する撹拌シートが設置され、
前記撹拌シートは前記湾曲面の湾曲方向における中間部で最低位部を形成し、前記最低位部は前記槽ハウジングの垂直方向における中位領域に位置し、前記最低位部の両側の高位端部の一方が導入端部を、他方が終端部を構成しており、
前記流入ポートと連通する導入管が、前記流入ポートから流入した液体を前記撹拌シートの前記導入端部に導くように配置され、
前記撹拌シートの前記湾曲方向に沿った両側縁の少なくとも一部は前記槽ハウジングの内壁面との間に間隙を形成していることを特徴とする心筋保護液リザーバ。
【請求項２】
前記撹拌シートの前記最低位部またはその近傍に、両側縁がくびれて形成された切欠き凹部、前記撹拌シートを横断する方向に形成された傾斜部、あるいは穴が設けられている請求項１に記載の心筋保護液リザーバ。
【請求項３】
前記導入管の先端部における管軸の方向は、前記撹拌シートに平行な面内で前記湾曲方向に沿って配向されている請求項１または２に記載の心筋保護液リザーバ。
【請求項４】
前記槽ハウジングは、上部の撹拌室と、前記撹拌室の側方に偏倚した一部領域に下方に突出して形成された貯液室を有し、
前記撹拌室における前記貯液室とは反対側に偏倚した位置の上部に前記流入ポートが設けられ、前記貯液室の下端に前記流出ポートが設けられている請求項１〜３のいずれか１項に記載の心筋保護液リザーバ。
【請求項５】
前記貯液室が形成されていない領域の前記撹拌室の下部では、撹拌室底面が横方向に延在して前記撹拌シートの前記最低位部が載置されている請求項４に記載の心筋保護液リザーバ。
【請求項６】
請求項１〜５のいずれか１項に記載の心筋保護液リザーバと、
前記心筋保護液リザーバの前記流出ポートから流出する液体を流動させる送液ポンプと、
前記流出ポートから流出する液体に対する熱交換を行う熱交換器と、
前記流出ポート、前記送液ポンプ、前記熱交換器及び前記流入ポートの間を接続する循環ラインと、
前記循環中の液体が前記流入ポートに戻る経路中に配置され、前記循環ラインを流動する心筋保護液の送液路を、前記流入ポートへの循環ラインまたは外部への心筋保護液供給ラインとの間で切替える切替えバルブとを備え、
前記流出ポートから流出する心筋保護液が前記熱交換器を経由して前記流入ポートに戻るように前記送液ポンプによる循環を行う経路と、前記心筋保護液供給ラインを介した送液の経路を前記切替えバルブにより選択することが可能である心筋保護液供給装置。
【発明の詳細な説明】
【技術分野】
【０００１】
本発明は、体外血液循環に用いられる人工心肺回路に組み込まれ、心筋保護液を貯留し適温に維持するための心筋保護液リザーバ及びそれを用いた心筋保護液供給装置に関し、特に、心筋保護液の温度あるいは濃度の均一性を向上させるための改良に関する。
【背景技術】
【０００２】
心臓手術においては、患者の心臓を停止させ、その間の呼吸及び血液循環機能を代行するために、人工心肺回路が用いられる。人工心肺回路の要部を構成する人工肺により、患者の肺に代わって血液に対するガス交換、すなわち、血液に酸素を供給し、二酸化炭素を排出する機能を得る。
【０００３】
体外血液循環回路を用いて心臓の拍動を停止させているときには、冠動脈の血流は途絶えて心筋は阻血状態になる。これに対処して、心筋を保護しかつ術後の自己心拍の回復を速やかにする目的で、心筋保護液を心臓の冠動脈に数十分間隔で注入することが行われる。
【０００４】
心筋保護液の組成には種々のものがあるが、例えば、血液＋心停止液という心筋保護液は広く用いられる。血液は、人工心肺回路を循環する血液の一部を用いる。心停止液とは、心筋が完全に収縮をなくすような薬を主体とした薬液である。心筋保護液が間歇的に冠動脈内に流れてゆくことによって、心筋に血液中の酸素と栄養と解毒物質などの成分が送られ、また、心停止液が入ることによって心臓の細胞が必要なエネルギー量、ひいては酸素の量が極端に少なくなる。これにより、体外血液循環中の心筋を適切に保護することができる。
【０００５】
心筋保護液を供給するための心筋保護液リザーバを含む人工心肺回路の一例を、図４に示す。図４は、患者１の身体に対して人工心肺回路が接続された状態を示す概念図である。この人工心肺回路は、メイン回路２、吸引・ベント回路３、及び心筋保護回路４から構成されている。図示しないが、更に血液濃縮回路等が含まれる場合もある。
【０００６】
メイン回路２は、静脈リザーバ５、人工肺６、血液ポンプ７、及び動脈フィルタ８を備え、脱血ライン９ａを介して脱血した患者１の静脈血を、回路内を循環させた後、送血ライン９ｂを介して患者１の大動脈へ返血するように構成される。回路内で血液は、まず静脈リザーバ５に導かれ、次に血液ポンプ７により人工肺６に送られ、人工肺６によりガス交換された動脈血は、動脈フィルタ８を介して送血ライン９ｂに至る。
【０００７】
吸引・ベント回路３は、ローラーポンプ１０ａ、１０ｂを備え、吸引ライン１１ａ、ベントライン１１ｂを介して患者１から吸引した血液を、静脈リザーバ５に内蔵された心内血貯血槽に導くように構成される。
【０００８】
心筋保護回路４は、心筋保護液リザーバ１２、心停止液供給部１３、ローラーポンプ１４ａ、１４ｂ、熱交換器１５、及び切替えバルブ１６を備え、心筋保護液注入ライン１７を介して心筋保護液を患者１の心臓の冠動脈に注入するように構成される。心筋保護液リザーバ１２には、心停止液供給部１３から心停止液が供給され、また人工肺６から供給される血液が混合された心筋保護液が貯留されて、熱交換器１５を経る循環に供される。
【０００９】
すなわち、心筋保護液は、手術中、心筋保護液リザーバ１２に貯留されるが、心筋の保護のため、心筋保護液を適切な温度で投与する必要がある。このため、心筋保護液リザーバ１２に貯留されている心筋保護液は、熱交換器１５を通るように循環させられて一定温度に維持される。
【００１０】
心筋保護液リザーバ１２から循環流出ライン１８に流出する心筋保護液は、ローラーポンプ１４ｂにより送出されて熱交換器１５及び切替えバルブ１６を経由し、循環流入ライン１９から心筋保護液リザーバ１２に戻される。一方、人工肺６から血液の一部がローラーポンプ１４ａにより吸引され、熱交換器１５及び切替えバルブ１６を経由して、循環流入ライン１９から心筋保護液リザーバ１２に送られる。
【００１１】
切替えバルブ１６は、熱交換器１５から流出する心筋保護液を、循環流入ライン１９または心筋保護液注入ライン１７に選択的に供給するための切替えを行う。これにより、心筋保護液リザーバ１２から循環中の心筋保護液を、必要に応じて心臓の冠動脈へ注入することができる（例えば特許文献１参照）。
【先行技術文献】
【特許文献】
【００１２】
【特許文献１】特開平７−２４１３３７号公報
【発明の概要】
【発明が解決しようとする課題】
【００１３】
しかしながら、心筋保護液リザーバ１２に貯留されている心筋保護液は、必ずしも温度が均一にはなっていないことが判った。原因として考えられることは、熱交換器１５を循環させても、心筋保護液が適切に撹拌されなければ、均一な温度状態を確保できないことである。心筋保護液の濃度についても同様に、十分な均一性を確保することは困難である。
【００１４】
そこで、循環して戻ってきた心筋保護液によって、心筋保護液リザーバ１２内で撹拌作用が発生するように、リザーバの構造を改良することが考えられた。撹拌性を向上させることにより、温度あるいは濃度の均一性が向上する効果が期待される。
【００１５】
ところが、特許文献１に記載されている従来例の心筋保護液の給液装置では、単純に、循環する心筋保護液が流入ポートからリザーバに流入する構造が示されているのみである。すなわち、流入する心筋保護液に対して撹拌作用を発生させるためのリザーバの内部構造について、示唆する記載はない。
【００１６】
そこで本発明は、槽内に流入する心筋保護液に対して撹拌作用を効果的に発生させるための内部構造を有する心筋保護液リザーバを提供することを目的とする。
【００１７】
また、そのような心筋保護液リザーバを備え、リザーバ内に貯留された心筋保護液が熱交換器を経由し循環して一定温度あるいは一定濃度に維持され、一方、循環路中の心筋保護液を心筋保護液供給ラインに選択的に送出可能なように構成された心筋保護液供給装置を提供することを目的とする。
【課題を解決するための手段】
【００１８】
本発明の心筋保護液リザーバは、心筋保護液を貯留する空間を形成する槽ハウジングと、前記槽ハウジングの上部に設けられた流入ポートと、前記槽ハウジングの下部に設けられた流出ポートとを備える。
【００１９】
上記課題を解決するために、本発明の心筋保護液リザーバは、前記槽ハウジングの内部に、上方に凹となった湾曲面を形成する撹拌シートが設置され、前記撹拌シートは前記湾曲面の湾曲方向における中間部で最低位部を形成し、前記最低位部は前記槽ハウジングの垂直方向における中位領域に位置し、前記最低位部の両側の高位端部の一方が導入端部を、他方が終端部を構成しており、前記流入ポートと連通する導入管が、前記流入ポートから流入した液体を前記撹拌シートの前記導入端部に導くように配置され、前記流出ポートは前記撹拌シートの前記終端部の下方領域に配置され、前記撹拌シートの前記湾曲方向に沿った両側縁の少なくとも一部は前記槽ハウジングの内壁面との間に間隙を形成していることを特徴とする。
【発明の効果】
【００２０】
上記構成によれば、流入ポートから導入される心筋保護液は、導入管により撹拌シートの導入端部の上面に導かれ、湾曲面に沿って流れるのに伴い、撹拌シートの両側縁と槽ハウジングの内壁面との間の間隙から落下して、貯液室２３に集まる。この過程で、心筋保護液は適切に撹拌されて、温度あるいは濃度が均一になる。
【図面の簡単な説明】
【００２１】
【図１Ａ】本発明の実施形態における心筋保護液リザーバを概念的に示す正面図
【図１Ｂ】同心筋保護液リザーバの右側面から見た断面図
【図１Ｃ】同心筋保護液リザーバの上面部を取り去った平面図
【図２】同心筋保護液リザーバの要部を構成する撹拌シートを示す斜視図
【図３】同撹拌シートの形状の要部を示す平面図
【図４】従来例の人工心肺回路を示す概念図
【発明を実施するための形態】
【００２２】
本発明の心筋保護液リザーバは、上記構成を基本として、以下のような態様をとることができる。
【００２３】
すなわち、前記撹拌シートの前記最低位部またはその近傍に、両側縁がくびれて形成された切欠き凹部、前記撹拌シートを横断する方向に形成された傾斜部、あるいは穴が設けられている構成とすることができる。これにより、心筋保護液の循環量が少ない場合でも、撹拌シート上の心筋保護液が確実に落下する作用が得られ、撹拌シート上に溜まることが回避される。
【００２４】
また、前記導入管の先端部における管軸の方向は、前記撹拌シートに平行な面内で前記湾曲方向に沿って配向されている構成とすることができる。これにより、導入端部と導入管が滑らかに接触し、撹拌シートで気泡を巻き込むことなく心筋保護液を流すことができる。
【００２５】
また、前記槽ハウジングは、上部の撹拌室と、前記撹拌室の側方に偏倚した一部領域に下方に突出して形成された貯液室を有し、前記撹拌室における前記貯液室とは反対側に偏倚した位置の上部に前記流入ポートが設けられ、前記貯液室の下端に前記流出ポートが設けられている構成とすることができる。これにより、心筋保護液は確実に撹拌シート２６の湾曲面に沿って流れて、撹拌性を確実に向上させることができる。
【００２６】
また、前記貯液室が形成されていない領域の前記撹拌室の下部では、撹拌室底面が横方向に延在して前記撹拌シートの前記最低位部が載置されている構成とすることができる。これにより、導入管から噴出する心筋保護液に対して、撹拌シートを安定して保持することができる。
【００２７】
本発明の心筋保護液供給装置は、上記いずれかの構成を有する心筋保護液リザーバと、前記心筋保護液リザーバの前記流出ポートから流出する液体を流動させる送液ポンプと、前記流出ポートから流出する液体に対する熱交換を行う熱交換器と、前記流出ポート、前記送液ポンプ、前記熱交換器及び前記流入ポートの間を接続する循環ラインと、前記循環中の液体が前記流入ポートに戻る経路中に配置され、前記循環ラインを流動する心筋保護液の送液路を、前記流入ポートへの循環ラインまたは外部への心筋保護液供給ラインとの間で切替える切替えバルブとを備え、前記流出ポートから流出する心筋保護液が前記熱交換器を経由して前記流入ポートに戻るように前記送液ポンプによる循環を行う経路と、前記心筋保護液供給ラインを介した送液の経路を前記切替えバルブにより選択することが可能である。
【００２８】
以下、本発明の実施形態について図面を参照しながら説明する。
【００２９】
＜実施の形態＞
本発明の実施形態における心筋保護液リザーバの構造について、図１Ａ〜１Ｃを参照して説明する。図１Ａは、心筋保護液リザーバ２０の構成を概念的に示す正面図、図１Ｂはその右側面から見た断面図、図１Ｃは、平面図である。この心筋保護液リザーバ２０は、図４に示した従来例と同様の人工心肺回路中に、心筋保護液リザーバ１２に代えて用いることができる。
【００３０】
心筋保護液リザーバ２０は、槽ハウジング２１により心筋保護液を貯留する空間を形成して構成される。なお、図１Ｃは、槽ハウジング２１の上面を取り去って内部が見える状態にして示されている。槽ハウジング２１は、上部に撹拌室２２を有し、その撹拌室２２の正面側に偏倚した一部領域が下方に突出して、貯液室２３が形成されている。従って、貯液室２３が形成されていない領域の撹拌室２２の下部では、横方向に延在する撹拌室底面２２ａが形成されている。撹拌室２２及び貯液室２３は、図１Ａに示されるように、側面の幅が下方に向かって狭まっており、下端部で平坦になったＶ字状を形成している。
【００３１】
撹拌室２２には、貯液室２３とは反対側に偏倚した位置の上部に流入ポート２４が設けられ、貯液室２３の下端には流出ポート２５が設けられている。図示は省略するが、槽ハウジング２１の上部に更に、心停止液を注入する薬液注入ポートが設けられた構成としてもよい。この心筋保護液リザーバ２０が図４に示した人工心肺回路中で使用される際は、貯液室２３に貯留された心筋保護注液は、流出ポート２５から出て熱交換器１５を含むラインを経由し、流入ポート２４から槽ハウジング２１に戻るように循環する。
【００３２】
撹拌室２２には、上方に凹となったＵ字状の湾曲面（図１Ｂ参照）を形成する撹拌シート２６が設置されている。撹拌シート２６の形状を、図２に斜視図で示す。撹拌シート２６は、湾曲方向における中間部を最低位部２７とし、その両側が上方に傾斜して高位端部を各々形成している。最低位部２７は撹拌室底面２２ａ上に載置され、従って、槽ハウジング２１の垂直方向における中位領域に位置している。「中位領域」とは、流入ポート２４が設けられた上端部よりも低く、流出ポート２５が設けられた下端部よりも高いことを意味する。
【００３３】
撹拌シート２６の高位端部の一方が導入端部２８を、他方が終端部２９を構成する。撹拌シート２６の材質は特に限定されないが、樹脂製とすればＵ字状の湾曲面を形成し易く、また心筋保護液に対する影響の無い材質を容易に選択することができる。撹拌シート２６に用いる材質は、軟質でも硬質でもよい。
【００３４】
撹拌シート２６の湾曲方向に沿った両側縁２６ａは、槽ハウジング２１の内壁面との間に一定の間隙ｇ（図１Ａ参照）を形成している。撹拌室２２及び貯液室２３の側面はＶ字状になっているため、内壁に沿った撹拌シート２６の側縁２６ａもＶ字状傾斜線を形成している。この結果、図１Ｃに示されるように、撹拌シート２６は中央の最低位部２７部に向かって幅狭になっている。
【００３５】
更に、撹拌シート２６の最低位部２７では、両側縁２６ａがくびれて切欠き凹部３１が形成されている。切欠き凹部３１の形状を図３に示す。図３は、図１Ｃにおける切欠き凹部３１の近傍を拡大して示した図である。撹拌シート２６の両側の側縁２６ａを最低位部２７部に向かって延長した交点に対して、切欠き凹部３１の最奥部の交点の位置は、幅ｄだけくびれている。すなわち、側縁２６ａが槽ハウジング２１の内壁面との間に形成する一定の間隙ｇに対して、切欠き凹部３１は、間隙の大きさを拡大する目的で設けられる。
【００３６】
撹拌シート２６の導入端部２８には、導入管３０が結合している。導入管３０は流入ポート２４と連通しており、流入ポート２４から流入した液体を導入端部２８の上面に導くように配置されている。導入管３０は先端径が細く、液体が噴出するようになっている。導入管３０の出口での一定の流速を確保可能とするために、導入管３０の先端内径は６．４ｍｍ以下とすることが望ましい。
【００３７】
導入管３０の先端部における管軸の方向は、撹拌シート２６の導入端部２８の面内で湾曲方向に沿って配向されている。これにより、導入端部２８と導入管３０が滑らかに接触する。流出ポート２５は、撹拌シート２６の終端部２９の下方領域に配置された状態になっている。但し、流出ポート２５は、必ずしも撹拌シート２６の終端部２９の下方領域に配置される必要はなく、適宜配置を設定することが可能である。
【００３８】
以上のような構成を有する心筋保護液リザーバ２０を、図４に示した人工心肺回路中に、心筋保護液リザーバ１２に代えて用いた場合の動作について、図１Ａ〜１Ｃ及び図４を参照して以下に説明する。
【００３９】
人工心肺回路では、心筋保護液リザーバ２０の流出ポート２５から循環流出ライン１８に流出する心筋保護液が、ローラーポンプ１４ｂにより送出される。心筋保護液は、熱交換器１５及び切替えバルブ１６を経由し、循環流入ライン１９から流入ポート２４を介して心筋保護液リザーバ２０に戻る。
【００４０】
その際、流入ポート２４に至った心筋保護液は、導入管３０により撹拌シート２６の導入端部２８の上面に導かれる。貯液室２３の貯液量が多く、心筋保護液の循環量が多い場合、先端径の細い導入管３０から噴出した液は、撹拌シート２６の湾曲面に沿って流れ、最低位部２７を通過して終端部２９に向かって上向きに流れる。これに伴い、心筋保護液は撹拌シート２６の両側縁２６ａと槽ハウジング２１の内壁面との間の間隙ｇから落下して、貯液室２３に集まる。この過程で、心筋保護液は撹拌されながら撹拌シート２６の両側縁２６ａを越えて、貯液室２３に向かって流れ落ちる。これにより、全体の撹拌性が向上し、温度及び濃度が均一になる。
【００４１】
一方、心筋保護液の循環量が少ない場合、導入管３０から流出した心筋保護液は、最低位部２７の近傍までに撹拌シート２６の両側縁２６ａを越えて、気泡を巻き込むことなく槽ハウジング２１の内壁面に沿って流れ落ち貯液室２３に集まる。その過程で撹拌されて温度及び濃度が均一になる。また、撹拌シート２６の最低位部２７では、切欠き凹部３１により間隙ｇの大きさが拡大されているので、切欠き凹部３１を通して撹拌シート２６上の心筋保護液は速やかに排出され、心筋保護液が撹拌シート２６上に滞留することはない。
【００４２】
なお、この効果を得るためには、間隙ｇは、両側縁２６ａの全領域において内壁面との間に形成される必要はない。すなわち、撹拌シート２６の湾曲方向に沿った両側縁２６ａの少なくとも一部で、槽ハウジング２１の内壁面との間に間隙ｇが形成されていれば、撹拌効果を相応の程度で得ることが可能である。
【００４３】
また、切欠き凹部３１を設けることも必須ではないが、上述の効果が得られるので、仕様に応じて採用することが望ましい。切欠き凹部３１を設ける位置も、最低位部２７に限定されることはなく、最低位部２７の近傍であって上述の効果を得ることが可能な範囲内に設ければよい。
【００４４】
また、心筋保護液の撹拌シート２６上での滞留を防止するためには、切欠き凹部以外に、撹拌シート２６を横断する方向の傾斜を形成した構造、もしくは撹拌シート２６の最低位部２７の近傍に穴を開けた構造等を採用することができる。
【００４５】
以上のように、本実施の形態の構成によれば、心筋保護液の循環量が多い場合、及び少ない場合のいずれの場合でも、導入管３０から流出して貯液室２３に集まる過程で心筋保護液が適切に撹拌される効果を得ることができる。これにより、心筋保護液の温度及び濃度が均一化され、心筋保護液注入ライン１７から適切な温度及び濃度で投与することができる。
【００４６】
また、貯液室２３が撹拌室２２の正面側に偏倚した一部領域に形成され、貯液室２３とは反対側に偏倚した位置の上部に流入ポート２４が設けられ、貯液室２３の下端に流出ポート２５が設けられていることで、心筋保護液は確実に撹拌シート２６の湾曲面に沿って流れる。これにより、撹拌性を確実に向上させることができる。
【００４７】
また、撹拌室２２の下部に横方向に延在する撹拌室底面２２ａが形成されており、撹拌シート２６の最低位部２７が撹拌室底面２２ａ上に載置されているので、導入管３０から噴出する心筋保護液の流に抗して、撹拌シート２６が安定して保持される。
【００４８】
撹拌シート２６による撹拌性の向上効果を実証するために、撹拌シート２６の有無による心筋保護液の濃度の均一性の変化を調べた。実験は、心筋保護液リザーバ２０内の生理食塩水を牛血液に置換する方法で行った。貯血量を２０００ｍＬとし、流量を５００ｍＬ／ｍｉｎとして牛血液を流入させて、流入開始から１５秒後、及び３０秒後における槽ハウジング２１内の状態を観察した。
【００４９】
槽ハウジング２１内に撹拌シート２６が装着されていない従来例の場合、流入開始から１５秒後には、槽ハウジング２１内の下部領域５０％が牛血液で置換され、３０秒後には、下部領域６５％が牛血液で置換されたことが観察された。一方、槽ハウジング２１内に撹拌シート２６が装着された本実施の形態の場合、流入開始から１５秒後には、槽ハウジング２１内の９５％が牛血液で置換され、３０秒後には、１００％が牛血液で置換されたことが観察された。従って、撹拌シート２６による撹拌性向上の効果が顕著であることを確認できた。
【産業上の利用可能性】
【００５０】
本発明の心筋保護液リザーバは、槽内に流入する心筋保護液に対して撹拌作用を効果的に発生させて、槽内に貯留される心筋保護液の温度を均一に維持する効果が高く、人工心肺装置の構成に有用である。
【符号の説明】
【００５１】
１  患者
２  メイン回路
３  吸引・ベント回路
４  心筋保護回路
５  静脈リザーバ
６  人工肺
７  血液ポンプ
８  動脈フィルタ
９ａ  脱血ライン
９ｂ  送血ライン
１０ａ、１０ｂ、１４ａ、１４ｂ  ローラーポンプ
１１ａ  吸引ライン
１１ｂ  ベントライン
１２、２０  心筋保護液リザーバ
１３  心停止液供給部
１５  熱交換器
１６  切替えバルブ
１７  心筋保護液注入ライン
１８  循環流出ライン
１９  循環流入ライン
２１  槽ハウジング
２２  撹拌室
２２ａ  撹拌室底面
２３  貯液室
２４  流入ポート
２５  流出ポート
２６  撹拌シート
２６ａ  両側縁
２７  最低位部
２８  導入端部
２９  終端部
３０  導入管
【図１Ａ】
2015100609.tif 000003
【図１Ｂ】
2015100609.tif 000004
【図１Ｃ】
2015100609.tif 000005
【図２】
2015100609.tif 000006
【図３】
2015100609.tif 000007
【図４】
2015100609.tif 000008